(57)【要約】【課題】空気中のホコリの量に応じた値とニオイの強さに応じた値の双方を検出する空気清浄機に設けられるものであって、使用者にとって、これら双方の検出結果を別個に把握することが可能となる表示装置を提供する。【解決手段】空気中の埃の量に応じた値を検出するホコリ検出部と、空気中のにおいの強さに応じた値を検出するニオイ検出部と、を備えるとともに、送風手段によって空気を強制的に吸入して排出する方式が採用された空気清浄機に設けられるものであって、前記ホコリ検出部による検出結果に応じた表示を行う第１表示部と、前記ニオイ検出部による検出結果に応じた表示を行う第２表示部と、が互いに別個に設けられている表示装置とする。【選択図】図５
2008289951.tif 000002
【特許請求の範囲】
【請求項１】
空気中の埃の量に応じた値を検出するホコリ検出部と、空気中のにおいの強さに応じた値を検出するニオイ検出部と、を備えるとともに、送風手段によって空気を強制的に吸入して排出する方式が採用された空気清浄機に設けられるものであって、
前記ホコリ検出部による検出結果に応じた表示を行う第１表示部と、前記ニオイ検出部による検出結果に応じた表示を行う第２表示部と、が互いに別個に設けられており、
前記ホコリ検出部は、
光を発する発光素子と、空気を介して伝わってきた該光を受ける受光素子と、を有し、該受光素子における照度の検出を通じて、前記埃の量に応じた値を検出するものであり、
前記ニオイ検出部は、
酸化物半導体を有し、該酸化物半導体に、空気中の臭気を有するガスが吸着・反応することによる、該酸化物半導体における抵抗値の変化の検出を通じて、前記においの強さに応じた値を検出するものであることを特徴とする表示装置。
【請求項２】
前記第１表示部および第２表示部のうちの少なくとも一方は、発光素子表示装置として構成されており、
該発光素子表示装置は、
前記ホコリ検出部またはニオイ検出部による検出の結果に応じて発光する発光素子を有し、該発光を通じて、前記ホコリ検出部またはニオイ検出部による検出の結果に応じた表示を行うことを特徴とする請求項１に記載の表示装置。
【請求項３】
前記第１表示部および第２表示部の双方が、前記発光素子表示装置として構成されており、
該第１表示部における発光素子と該第２表示部における発光素子は、互いに異なる色に発光することを特徴とする請求項２に記載の表示装置。
【請求項４】
前記発光素子表示装置のうちの少なくとも一つは、複数色に発光する複数色発光装置を備え、
前記複数色発光装置を備えた発光素子表示装置のうちの少なくとも一つは、該複数色発光装置を複数有しており、
該複数の複数色発光装置の各々は、互いに異なる経路で光を放出することを特徴とする請求項２または請求項３に記載の表示装置。
【請求項５】
前記複数色発光装置を４個有しており、
該４個の複数色発光装置は、碁盤の目状に配置されていることを特徴とする請求項４に記載の表示装置。
【請求項６】
請求項１から請求項５の何れかに記載の表示装置が備えられたことを特徴とする空気清浄機。
【発明の詳細な説明】
【技術分野】
【０００１】
本発明は、例えば光電式粉塵計やガスセンサを設けた空気清浄機に用いられる、表示装置に関する。
【背景技術】
【０００２】
従来、室内などの空気を清浄するための空気清浄機が広く用いられている。また空気清浄機においては、通常、ユーザに各種状況を知らせるための表示装置が設けられている。そしてこのような表示装置においては、よりユーザフレンドリーな空気清浄機を実現すべく、これまでに種々の工夫がなされてきた。
【０００３】
例えば特許文献１には、空気の汚れ度合いに応じて表示灯列が点灯する（空気がきれいなときには緑色の点灯を行い、空気が汚れているときには赤色の点灯を行う）空気清浄機の表示装置が記載されている。なお、操作部や表示部は同一パネル上に配置される構成となっている。
【特許文献１】特許第３２０１１９２号公報
【発明の開示】
【発明が解決しようとする課題】
【０００４】
空気の汚れ度合いを評価するにあたっては、空気中の埃（以下、「ホコリ」と称することがある）の量や、におい（以下、「ニオイ」と称することがある）の強さなどを検出し、これらを総合的に勘案する手法等が考えられる。そしてこの評価結果を何らかの方法で表示させることにより、使用者にとっては、空気の汚れ度合いを把握することが可能となる。
【０００５】
しかしこのように、ホコリやニオイの状況が総合的に勘案された評価結果を表示させるものであれば、使用者にとって、空気の状態を詳細に把握することは難しくなる。特に人間の官能に結びつきにくい空気中のホコリの量と、逆に人間の官能に結びつき易いニオイの強さとは、その性質が大きく異なっているため、これらの状況を別個に把握できるようにする要望は強いと考えられる。
【０００６】
そこで本発明は上記の問題点に鑑み、空気中のホコリの量に応じた値とニオイの強さに応じた値の双方を検出する空気清浄機に設けられるものであって、使用者にとって、これら双方の検出結果を別個に把握することが可能となる表示装置の提供を目的とする。
【課題を解決するための手段】
【０００７】
上記目的を達成するため、本発明に係る表示装置は、空気中の埃の量に応じた値を検出するホコリ検出部と、空気中のにおいの強さに応じた値を検出するニオイ検出部と、を備えるとともに、送風手段によって空気を強制的に吸入して排出する方式が採用された空気清浄機に設けられるものであって、前記ホコリ検出部による検出結果に応じた表示を行う第１表示部と、前記ニオイ検出部による検出結果に応じた表示を行う第２表示部と、が互いに別個に設けられており、前記ホコリ検出部は、光を発する発光素子と、空気を介して伝わってきた該光を受ける受光素子と、を有し、該受光素子における照度の検出を通じて、前記埃の量に応じた値を検出するものであり、前記ニオイ検出部は、酸化物半導体を有し、該酸化物半導体に、空気中の臭気を有するガスが吸着・反応することによる、該酸化物半導体における抵抗値の変化の検出を通じて、前記においの強さに応じた値を検出するものである構成（第１の構成）とする。
【０００８】
本構成によれば、空気中のホコリの量に応じた値とニオイの強さに応じた値を検出する空気清浄機に設けられて、これらの検出結果に応じた表示を行うことが可能となる。また第１表示部と第２表示部が、互いに別個に設けられていることにより、使用者にとって、これら双方の検出結果を別個に把握することが可能となる。
【０００９】
また上記第１の構成として、より具体的には、前記第１表示部および第２表示部のうちの少なくとも一方は、発光素子表示装置として構成されており、該発光素子表示装置は、前記ホコリ検出部またはニオイ検出部による検出の結果に応じて発光する発光素子を有し、該発光を通じて、前記ホコリ検出部またはニオイ検出部による検出の結果に応じた表示を行う構成（第２の構成）としてもよい。このようにすれば、発光素子を用いて、表示部を容易に実現し得る。
【００１０】
また上記第２の構成において、前記第１表示部および第２表示部の双方が、前記発光素子表示装置として構成されており、該第１表示部における発光素子と該第２表示部における発光素子は、互いに異なる色に発光する構成（第３の構成）としてもよい。
【００１１】
本構成によれば、第１表示部と第２表示部における発光色が互いに異なっているため、使用者にとっては、発光色の違いにより双方の表示部を見分けることが可能となる。そのため、例えば第１表示部と第２表示部が近接して配置されている場合であっても、使用者が両者を混同してしまうという事態を、極力回避することが可能となる。
【００１２】
また上記第２または第３の構成において、前記発光素子表示装置のうちの少なくとも一つは、複数色に発光する複数色発光装置を備え、前記複数色発光装置を備えた発光素子表示装置のうちの少なくとも一つは、該複数色発光装置を複数有しており、該複数の複数色発光装置の各々は、互いに異なる経路で光を放出する構成（第４の構成）としてもよい。
【００１３】
本構成によれば、ホコリ検出部またはニオイ検出部による検出結果に、細かく応じた表示を実現することが可能となる。また複数色発光装置を複数有することにより、ホコリ検出部またはニオイ検出部による検出結果に、より細かく応じた表示を実現することが可能となる。なお各複数色発光装置の発する光は、互いに別の経路で放出される（そのため使用者にとって、別々の箇所が発光するように見える）ため、発光色が曖昧になり過ぎる（複数の複数発光装置の発する光が混ざり合う）ことを回避することができる。またこの第４の構成として、前記複数色発光装置を４個有しており、該４個の複数色発光装置は、碁盤の目状に配置されている構成（第５の構成）としてもよい。
【００１４】
また、上記第１から第５の何れかの構成に係る表示装置が備えられた構成（第６の構成）の空気清浄機であれば、上記構成による利点を享受し得る空気清浄機が実現される。
【発明の効果】
【００１５】
上述の通り、本発明に係る表示装置によれば、空気中のホコリの量に応じた値とニオイの強さに応じた値を検出する空気清浄機に設けられて、これらの検出結果に応じた表示を行うことが可能となる。また第１表示部と第２表示部が、互いに別個に設けられていることにより、使用者にとって、これら双方の検出結果を別個に把握することが可能となる。
【発明を実施するための最良の形態】
【００１６】
空気清浄機に搭載される表示装置に本発明を適用した場合を例に挙げて、以下に詳細な説明を行う。図１は、本発明に係る空気清浄機の外観を示す斜視図である。
【００１７】
本図に示すように、空気清浄機１は、ベース１１の支持により本体部１０が立設されている。本体部１０の前面は、前面パネル１２により覆われている。本体部１０と前面パネル１２との隙間により、室内の空気を取り込むための側面吸気口１３が形成されている。本体部１０の上部には、第１吹出口１４ａが設けられるとともに、斜め上方に屈曲して前方に開口する第２吹出口１４ｂが設けられている。また、本体部１０の上部には、ユーザが操作を行うための操作パネル１５が設けられている。
【００１８】
また図２は、操作パネル１５の一例を示す正面図である。本図に示すように、操作パネル１５には、種々のユーザ操作（イオン入／切、チャイルドロック入／切、空気清浄運転切換、イオンシャワー入／切、加湿運転切換、リセット、及び、運転入／切）を受け付けるスイッチ群（図中では四角枠で描写）が設けられている。
【００１９】
そしてこれらのほかに、機器の動作状態（イオン入／切状態、チャイルドロック入／切状態、空気清浄運転状態、イオンシャワー運転状態、加湿運転状態、給水時期、および加湿フィルタの交換時期）を示すインジケータランプ群（図中では丸枠で描写）や、ハウスダストモニター５１、およびニオイモニター５２が設けられている。なおハウスダストモニター５１とニオイモニター５２の構成等については、後に詳しく説明する。
【００２０】
また図３は、空気清浄機１の内部構造を示す側面断面図（縦断面図）であり、本図（ａ）は加湿なしの場合、本図（ｂ）は加湿ありの場合を各々示している。なお、図中の太い矢印は、空気清浄機１の吸排気経路を示すものである。
【００２１】
本体部１０内には、室内空気の吸排気を行うための送風ユニット１００が設けられている。送風ユニット１００は、前面と下面が遮蔽され、背面と上面が開口されたユニット筐体内に、軸方向に吸気して周方向に排気するファンモータ１０１を備えている。ファンモータ１０１の吸気側は、ユニット筐体の背面開口部を介して、送風ユニット１００の背面側を上下方向に延びる背面通風路２２に連通されている。一方、ファンモータ１０１の排気側は、ユニット筐体の上面開口部を介して、第１吹出口１４ａ及び第２吹出口１４ｂに至る排気風路２３に連通されている。
【００２２】
前面パネル１２と送風ユニット１００（ユニット筐体前面）との間には、空気清浄用フィルタユニット１６が着脱自在に設けられている。なお、空気清浄用フィルタユニット１６としては、例えば、所定の枠体内に、空気の吸込み側から順に、吸気中の大きな塵埃を捕集するプレフィルタ、活性炭等を用いて吸気の脱臭を行う脱臭フィルタ、及び、吸気中の微細な塵埃を捕集する集塵フィルタを組み込んだ３層構造のユニットが考えられる。
【００２３】
空気清浄用フィルタユニット１６を通過した空気は、本体部１０の下方に設けられた吸気風路２１、並びに、加湿ユニット１７に向けて流入される。吸気風路２１の経路途中には、風路切換部材（ダンパー）１８が設けられており、図３（ａ）に示すように、吸気風路２１を導通して、流入空気を吸気風路２１経由で背面風路２２へ直接導くか、或いは、図３（ｂ）に示すように、吸気風路２１を遮蔽して、流入空気を加湿ユニット１７経由で背面風路２２へ導くかを切り換えることができるようになっている。
【００２４】
加湿ユニット１７は、水タンク１７ａ（図１を参照）、トレイ１７ｂ、及び、加湿フィルタ１７ｃにより構成されている。水タンク１７ａは、加湿用の水を貯えておく手段であり、本体部１０の側部に着脱可能に立設されている。トレイ１７ｂは、水タンク１７ａから供給される水を貯えておく手段である。加湿フィルタ１７ｃは、トレイ１７ｂに浸漬される吸水性を有した吸水材から成り、前後方向にジグザグに折曲した屏風状に形成されている。
【００２５】
これにより、加湿フィルタ１７ｃは、トレイ１７ｂ内の水を吸い上げて保水する。従って、図３（ｂ）に示すように、流入空気が加湿ユニット１７経由で背面風路２２へ導かれる場合には、加湿フィルタ１７ｃに保水された水分がこれを通過する流入空気に取り込まれ、加湿された空気が背面風路２２に流入することになる。
【００２６】
なお、空気清浄用フィルタユニット１６は、送風ユニット１００（ユニット筐体前面）と所定の空間を隔てる形で装着されている。このような空間を設けることにより、空気清浄用フィルタユニット１６を通過した空気を吸気風路２１や加湿ユニット１７に向けてスムーズに流入させることができるので、圧力損失や騒音を低減することが可能となる。
【００２７】
一方、排気風路２３には、プラスイオンとマイナスイオンを放出して室内の殺菌や臭い除去を行ったり、マイナスイオンのみを室内に放出してリラクゼーション効果を得たりするためのイオン発生装置１９が設けられている。このように、第１吹出口１４ａ及び第２吹出口１４ｂと送風ユニット１００との間に、イオン発生装置１９を配置することにより、送風ユニット１００との衝突によるイオンの消滅を防止することができる。なお、イオンを発生する電極のみを排気風路２３に面して配置し、イオン発生装置１９自体（電源部など）については、別の位置に配置してもよい。
【００２８】
なお、図１や図３には図示されていないが、空気清浄機１には、上記構成要素のほかにも、室内の温度や湿度を検知する温度・湿度センサ、機器の前方に人がいるか否かを検知する人体センサ、室内の塵埃の量が所定量よりも多いか否かを検知するホコリセンサ、及び、室内の臭い成分の量が所定量よりも多いか否かを検知するニオイセンサが設けられている。
【００２９】
次に、上記構成から成る空気清浄機１の電気系統について、詳細な説明を行う。図４は、空気清浄機１における送風ユニット、操作基板、及び、制御基板の電気的接続関係を示すブロック図である。
【００３０】
送風ユニット１００は、モータ電圧Ｖｍ（例えばＤＣ１４１［Ｖ］）を動作電圧として回転駆動されるファンモータ１０１のほかに、電源電圧Ｖｃｃ（例えばＤＣ１５［Ｖ］）を動作電圧として、回転速度制御信号Ｖｓに応じたファンモータ１０１の駆動制御を行うモータ制御回路１０２を有して成る。なお、モータ制御回路１０２には、ファンモータ１０１の駆動制御機能だけでなく、ファンモータ１０１の回転速度検出機能（回転速度信号ＰＧの生成機能）も具備されている。
【００３１】
操作・表示基板２００は、操作パネル１５のスイッチ群やインジケータランプ群を搭載した小型の基板であり、操作パネル１５の直下に設けられている（図３を参照）。このように、比較的大きな設置スペースを要し、配置レイアウトの制約が大きい制御基板３００から、小型の操作基板２００を分離独立して設けることにより、操作パネル１５の配置レイアウト（延いては、空気清浄機１のトータルデザイン）の自由度を高めることが可能となる。
【００３２】
制御基板３００は、交流／直流変換回路３０１と、直流／直流変換回路３０２と、マイコン３０３と、ディジタル／アナログ変換回路３０４と、ドライバ回路３０５と、ガス検出回路３０６と、ホコリ検出回路３０７を有して成る。
【００３３】
交流／直流変換回路３０１は、トランスや全波整流器を用いて、商用電源４００から供給される交流電圧（ＡＣ１００［Ｖ］、５０／６０［Ｈｚ］）を所望の直流電圧（例えばＤＣ１４１［Ｖ］）に変換する手段である。なお、交流／直流変換回路３０１にて生成された直流電圧は、先述のモータ電圧Ｖｍとして、送風ユニット１００（ファンモータ１０１）に供給される。
【００３４】
直流／直流変換回路３０２は、交流／直流変換回路３０１で得られた直流電圧を降圧することで、先述の電源電圧Ｖｃｃを生成する手段である。また、直流／直流変換回路３０２は、電源電圧Ｖｃｃを生成する機能だけでなく、操作基板２００や制御基板３００の動作電圧（例えばＤＣ５［Ｖ］）を別系統で生成する機能も具備している。
【００３５】
マイコン３０３は、空気清浄機１各部の動作を統括制御する手段である。例えば、マイコン３０３は、送風ユニット１００から入力される回転速度信号ＰＧや操作基板２００から入力されるユーザ操作信号（操作パネル１５で受け付けられたユーザ操作）に応じて、ファンモータ１０１の回転速度（すなわち、空気清浄機１の吸排気風量）を制御するためのＰＷＭ［Pulse Width Modulation］信号を生成する。また、図３で示した風路切換部材１８やイオン発生装置１９の動作についても、マイコン３０３が統括的に制御する。
【００３６】
ディジタル／アナログ変換回路３０４は、マイコン３０３から入力されるＰＷＭ信号をアナログ変換することで、送風ユニット１００に与える回転速度制御信号Ｖｓを生成する手段である。例えば、回転速度制御信号Ｖｓとしては、ＰＷＭ信号のオンデューティが大きいほど電圧レベルが高くなり、逆に、ＰＷＭ信号のオンデューティが小さいほど電圧レベルが低くなる電圧信号を生成することが考えられる。
【００３７】
ドライバ回路３０５は、マイコン３０３からの制御信号に応じて、操作基板２００のインジケータランプ群を構成する発光ダイオードへの電流供給を行う手段である。なお、ドライバ回路３０５は、マイコン３０３の制御信号出力ポートに静電サージが直接伝播することを防ぐ静電破壊保護手段としても機能する。
【００３８】
ガス検出回路３０６は、外気に触れるように所定の酸化物半導体が設けられており、この酸化物半導体の表面に臭気を有するガスが吸着・反応することにより生じる電気抵抗変化を検出するものである。これにより、臭気を有するガスの濃度を検出することが可能となっており、ひいては、空気中におけるにおいの強さを間接的に検出する臭気センサとしての機能を果たすことが可能となっている。
【００３９】
ホコリ検出回路３０７は、受光素子と発光素子が備えられており、この受光素子は、発光素子が発する光を、外気を介して受光する。またそのときの受光素子における照度が検出されるようになっている。これによりホコリ検出回路３０７は、光電式のホコリセンサ（粉塵計）としての機能を有しており、ホコリが多いほど検出される照度は小さくなることから、空気中のホコリの量を間接的に検出することが可能となっている。なお、一般的な臭気センサや光電式の粉塵計については公知であるため、その構成の詳細な説明は省略する。
【００４０】
次に、先述したハウスダストモニター５１およびニオイモニター５２の構成、ならびにこれらを通じてなされる表示処理について、以下に説明する。
【００４１】
まずハウスダストモニター５１およびニオイモニター５２の構成を、図５に示す。本図に示すように、ニオイモニター５２は、ガス検出回路３０６の出力電圧状態に応じて青色、赤色またはこれらの混合色である紫色に発光する複数色ＬＥＤ［Light Emitting Diode：発光ダイオード］５５が設けられている。この複数色ＬＥＤ５５によれば、３通りの発光色による表示（ＬＥＤが発光しない状態を含めると、４通り）が実現可能となっている。
【００４２】
またハウスダストモニター５１は、ホコリ検出回路３０７の出力電圧状態に応じて緑色、赤色またはこれらの混合色である橙色に発光する複数色ＬＥＤ５３が、４個設けられている。なお当該複数色ＬＥＤ５３によれば、３通りの発光色による表示（ＬＥＤが発光しない状態を含めると、４通り）が実現可能となっている。
【００４３】
またこれらの複数色ＬＥＤは、図５に示すように碁盤の目状に（各複数色ＬＥＤ５３の各々の位置を結ぶと、略正方形を形成するように）配置されているとともに、各複数色ＬＥＤ５３は、パーティション５４によって互いの光が混ざり合わないように仕切られている。そのため、それぞれの複数色ＬＥＤ５３は、互いに別々の経路で光を放出するようになっており、そのため使用者にとっては、各複数色ＬＥＤ５３に対応した別々の部分が光っているように見える。
【００４４】
ここで、ハウスダストモニター５１およびニオイモニター５２を通じてなされる表示処理の内容について、以下に説明する。先述したガス検出回路３０６およびホコリ検出回路３０７による検出結果の情報は、マイコン３０３に伝送される。そしてマイコン３０３では、ガス検出回路３０６による検出結果（酸化物半導体の抵抗値）を、予め定められた２個の閾値と比較する。これにより現状の外気（空気）におけるニオイの強さ（臭気ガスの濃度）が、３段階に評価されることとなる。
【００４５】
そしてこの比較の結果、図６の上段に示すように、ニオイが最も弱いと評価された場合は、ニオイモニター５２を青色に発光させる。また同様に、その次に弱いと評価された場合は、同じく紫色に発光させ、最もニオイが強いと評価された場合は、同じく赤色に発光させることとする。
【００４６】
またマイコン３０３は、ホコリ検出回路３０７による検出結果（受光素子における照度）については、予め定められた８個の閾値と比較する。これにより外気（空気）におけるホコリの量が、９段階に評価されることとなる。
【００４７】
そしてこの比較の結果、ホコリの量が最も少ないと評価された場合は、ハウスダストモニター５１における複数色ＬＥＤの全てを緑色に発光させる。以下同様に、検出されたホコリの量に応じて、ハウスダストモニター５１における各複数色ＬＥＤを、図６の下段に示すような色に（９段階に遷移するように）発光させる。
【００４８】
以上に説明したように空気清浄機１においては、ガス検出回路３０６による検出結果（空気中のにおいの強さと関連性がある）に応じた表示を行うニオイモニター５２と、ホコリ検出回路３０７による検出結果（空気中のホコリの量と関連性がある）に応じた表示を行うハウスダストモニター５１とが、互いに別個に設けられている。そのため、ホコリの量やにおいの強さを総合的に評価して空気の状態を表示するものに比べ、使用者にとっては、現状の空気の状態をより正確に把握することが可能なものとなっている。
【００４９】
つまり料理や化粧により発せられるニオイのように、使用者の官能に結びつく臭気の表示とは別に、使用者の官能に結びつきにくいチリやホコリなどのミクロン単位の浮遊物などの量を表す表示を行わせることとしている。そのため使用者が当該表示を参照することで、衣服の着替えに伴うホコリの発生状況や、布団の上げ下ろしに伴うホコリの発生状況（通常、ニオイはあまり発生しないが、ホコリは相当に発生する）についても、的確に把握することが可能となっている。
【００５０】
またニオイモニター５２においては、空気中のニオイが強くなる程、発光色が「青色→紫色（青と赤の中間色）→赤色」と変化する。このように、表示状態が青色に近いほどニオイは弱く、赤色に近いほどニオイは強いことを示すため、使用者にとっては、空気中のニオイの状態を直感的に把握できるようになっている。
【００５１】
またハウスダストモニター５１においては、空気中のホコリの量が多くなる程、発光色が「全ての複数色ＬＥＤ５３が緑色→徐々に緑色が橙色に置き換わる（橙色の占有面積が増える）→全ての複数色ＬＥＤ５３が橙色→徐々に橙色が赤色に置き換わる（赤色の占有面積が増える）→全ての複数色ＬＥＤ５３が赤色」と変化する。このように、表示状態が緑色に近いほどホコリの量は少なく、赤色に近いほどホコリの量は多いことを示すため、使用者にとっては、空気中のホコリの状態を直感的に把握できるようになっている。
【００５２】
またハウスダストモニター５１に用いられている複数色ＬＥＤ（発光素子）の発光色（緑、橙、赤）と、ニオイモニター５２に用いられている複数色ＬＥＤ（発光素子）の発光色（青、紫、赤）とは、一方に「緑・橙」が含まれ、他方に「青・紫」が含まれている点で、互いに異なっている。そのため図２に示すように、ハウスダストモニター５１とニオイモニター５２が近接して配置されている場合であっても、使用者が両者を混同してしまうという事態を、極力回避することが可能となっている。
【００５３】
また、ハウスダストモニター５１およびニオイモニター５２の構成は、上述のものに限定されない。例えば上述のものの他、図７に示すように、ハウスダストモニター５１には、青色、赤色、または混合色として紫色に発光する複数色ＬＥＤが設けられ、ニオイモニター５２には、緑色、赤色、または混合色として橙色に発光する複数色ＬＥＤが設けられているものとしても良い。なおこのように構成したときの、各モニター（５１、５２）における表示内容を図８に示す。
【００５４】
このようにハウスダストモニター５１は、ホコリ検出回路３０７による検出の結果、空気中のホコリの量が多くなるにつれて、「緑色→橙色→赤色」というように発光し、かかる検出結果に応じた表示を行う。一方ニオイモニター５２は、ガス検出回路３０６による検出の結果、空気中のニオイの強さが強くなるにつれて、「青色→紫色→赤色」、というように発光し、かかる検出結果に応じた表示を行う。
【００５５】
このようなハウスダストモニター５１およびニオイモニター５２が、空気清浄機１に設けられることにより、使用者は、空気中のホコリの量とニオイの強さを別々に把握することが可能となる。また両モニターに使用されている複数色ＬＥＤの発光色は、互いに異なるものとなっている。そのため、使用者が両モニターを混同するという事態を、極力回避させることが可能となっている。
【００５６】
なお本実施形態では、複数色に発光する装置（複数色発光装置）として、複数色ＬＥＤ（２色ＬＥＤ）を採用しているが、その他、単色ＬＥＤを複数配置しておき、フィルム式拡散素子の開口部にコーテイング材を施して混色拡散させること等により、複数色の光を得ることが可能である。
【００５７】
以上の通り本発明の実施形態について説明したが、本発明はかかる内容に限定されるものではなく、発明の主旨を逸脱しない範囲で種々の変更を加えることが可能である。
【産業上の利用可能性】
【００５８】
本発明は、空気清浄機に設けられる表示装置として利用可能である。
【図面の簡単な説明】
【００５９】
【図１】本発明に係る空気清浄機１の外観を示す斜視図である。
【図２】操作パネル１５の一例を示す正面図である。
【図３】空気清浄機１の内部構造を示す側面断面図（縦断面図）である。
【図４】空気清浄機１における送風ユニット１００、操作・表示基板２００、及び、制御基板３００の電気的接続関係を示すブロック図である。
【図５】ハウスダストモニター及びニオイモニターの構成図である。
【図６】ハウスダストモニター及びニオイモニターに係る表示遷移図である。
【図７】ハウスダストモニター及びニオイモニターの、別の構成図である。
【図８】ハウスダストモニター及びニオイモニターに係る、別の表示遷移図である。
【符号の説明】
【００６０】
１      空気清浄機
１０      本体部
１１      ベース
１２      前面パネル
１３      側面吸気口
１４ａ    第１吹出口
１４ｂ    第２吹出口
１５      操作パネル
１６      空気清浄用フィルタユニット
１７      加湿ユニット
１７ａ    水タンク
１７ｂ    トレイ
１７ｃ    加湿フィルタ
１８      風路切換部材（ダンパー）
１９      イオン発生装置
２１      吸気風路
２２      背面通風路
２３      排気風路
５１      ハウスダストモニター（第１表示部）
５２      ニオイモニター（第２表示部）
５３      複数色ＬＥＤ（緑・橙・赤に発光する発光素子）
５４      パーティション
５５      複数色ＬＥＤ（青・紫・赤に発光する発光素子）
１００      送風ユニット
１０１      ファンモータ
１０２      モータ制御回路
２００      操作・表示基板
３００      制御基板
３０１      交流／直流変換回路（ＡＣ／ＤＣ）
３０２      直流／直流変換回路（ＤＣ／ＤＣ）
３０３      マイコン
３０４      ディジタル／アナログ変換回路（Ｄ／Ａ）
３０５      ドライバ回路
３０６      ガス検出回路（ニオイ検出部）
３０７      ホコリ検出回路（ホコリ検出部）
４００      商用交流電源
【図１】
2008289951.tif 000003
【図２】
2008289951.tif 000004
【図３】
2008289951.tif 000005
【図４】
2008289951.tif 000006
【図５】
2008289951.tif 000007
【図７】
2008289951.tif 000008
【図６】
2008289951.tif 000009
【図８】
2008289951.tif 000010